(57)【要約】【課題】携帯オーディオ機器の音楽データを再生中、携帯オーディオ機器のバッテリ充電率が低下しても、違和感なく継続して音楽データを出力可能な車両用オーディオ装置を提供する。【解決手段】音楽データ供給手段（１１，１２，１３）と、接続部１４と、音楽データ取得手段（１０）と、音楽データ再生制御手段（１０）とを備えた車両用オーディオ装置１であって、音楽データのジャンル情報を取得する楽曲情報取得手段（１０）と、携帯オーディオ機器３０のバッテリ充電率を示すバッテリ情報を取得するバッテリ情報取得手段（１０）とを備え、音楽データ再生制御手段（１０）は、携帯オーディオ機器３０の音楽データを再生中、バッテリ充電率が所定値まで低下した場合、音楽データ供給手段（１１，１２，１３）が供給可能な音楽データのうち、再生中の音楽データと同一ジャンルの音楽データを再生する。【選択図】図１
2009152828.tif 000002
【特許請求の範囲】
【請求項１】
音楽データを供給する音楽データ供給手段と、
携帯オーディオ機器とデータ送信可能に接続する接続手段と、
携帯オーディオ機器から音楽データを取得する音楽データ取得手段と、
音楽データを車載スピーカから再生する音楽データ再生制御手段と、を備えた車両用オーディオ装置であって、
前記音楽データ供給手段及び携帯オーディオ機器の音楽データのジャンル情報を取得する楽曲情報取得手段と、携帯オーディオ機器のバッテリ充電率を示すバッテリ情報を取得するバッテリ情報取得手段と、を備え、
前記音楽データ再生制御手段は、携帯オーディオ機器から受け取った音楽データを再生中、前記バッテリ情報に基づいてバッテリ充電率が所定値まで低下したと判断した場合、前記楽曲情報取得手段が取得したジャンル情報に基づいて、前記音楽データ供給手段が供給可能な音楽データのうち、再生中の音楽データと同一ジャンルの音楽データを再生することを特徴とする車両用オーディオ装置。
【請求項２】
前記接続手段は、無線通信によるワイヤレス接続で携帯オーディオ機器と接続することを特徴とする請求項１に記載の車両用オーディオ装置。
【請求項３】
前記音楽データ供給手段は、デジタルラジオ放送の複数の放送チャンネルから、各々の放送チャンネルに対応したジャンルの音楽データを取得するデジタルラジオチューナであることを特徴とする請求項１又は２に記載の車両用オーディオ装置。
【請求項４】
前記音楽データ供給手段は、着脱可能な記憶媒体及び／又は内蔵記憶媒体に記憶された音楽データを供給することを特徴とする請求項１又は２に記載の車両用オーディオ装置。
【請求項５】
報知音を発生する報知音発生手段をさらに備え、
前記報知音発生手段は、前記バッテリ情報に基づいてバッテリ充電率が所定値まで低下したと判断した場合に、報知音を発生することを特徴とする請求項１乃至４のいずれか１項に記載の車両用オーディオ装置。
【発明の詳細な説明】
【技術分野】
【０００１】
本発明は、車両用オーディオ装置に係り、特に携帯オーディオ機器からの音源データを用いてオーディオ出力可能な車両用オーディオ装置に関する。
【背景技術】
【０００２】
従来、携帯オーディオ機器から無線送信された音声信号を受信し、この受信した音声信号を車載スピーカから再生出力するように構成された車載オーディオ機器が知られている（例えば、特許文献１参照）。このような車載装置を用いることにより、乗員は、携帯オーディオ機器に記憶された音楽等の音源データを車載スピーカを介して聞くことができる。
【０００３】
【特許文献１】特開２００６−１７３８９３号公報
【発明の開示】
【発明が解決しようとする課題】
【０００４】
しかしながら、上記車載装置では、携帯オーディオ機器が音声信号を長時間にわたって無線送信し続けると、携帯オーディオ機器のバッテリレベルが低下し、遂には携帯オーディオ機器から車載オーディオ機器に音声信号が送信されなくなる。これにより、車載オーディオ機器からの音声出力が停止し、突然無音状態になってしまうという問題があった。
【０００５】
本発明は、このような課題を解決するためになされたものであり、携帯オーディオ機器から受け取った音楽データを再生中、携帯オーディオ機器のバッテリ充電率が低下しても、違和感なく継続して音楽データを出力可能な車両用オーディオ装置を提供することを目的としている。
【課題を解決するための手段】
【０００６】
上記の目的を達成するために、本発明は、音楽データを供給する音楽データ供給手段と、携帯オーディオ機器とデータ送信可能に接続する接続手段と、携帯オーディオ機器から音楽データを取得する音楽データ取得手段と、音楽データを車載スピーカから再生する音楽データ再生制御手段と、を備えた車両用オーディオ装置であって、音楽データ供給手段及び携帯オーディオ機器の音楽データのジャンル情報を取得する楽曲情報取得手段と、携帯オーディオ機器のバッテリ充電率を示すバッテリ情報を取得するバッテリ情報取得手段と、を備え、音楽データ再生制御手段は、携帯オーディオ機器から取得した音楽データを再生中、バッテリ情報に基づいてバッテリ充電率が所定値まで低下したと判断した場合、楽曲情報取得手段が取得したジャンル情報に基づいて、音楽データ供給手段が供給可能な音楽データのうち、再生中の音楽データと同一ジャンルの音楽データを再生することを特徴としている。
【０００７】
このように構成された本発明によれば、携帯オーディオ機器から取得した音楽データを再生中に、携帯オーディオ機器のバッテリ充電率が所定値まで低下すると、携帯オーディオ機器から取得した音楽データから、音楽データ供給手段から供給される音楽データに切換えて再生が行われる。そして、切換えられる音楽データは、携帯オーディオ機器から取得した再生中の音楽データと同一ジャンルの音楽データが選択される。これにより、バッテリ充電率低下により、携帯オーディオ機器からの音楽データ送信が不作動となる前に音源を切換えて、再生中の音楽データと同一ジャンルの音楽データを、乗員に違和感を与えることなく継続して再生することができる。
【０００８】
また、本発明において具体的には、接続手段は、無線通信によるワイヤレス接続で携帯オーディオ機器と接続する。
また、本発明において具体的には、音楽データ供給手段は、デジタルラジオ放送の複数の放送チャンネルから、各々の放送チャンネルに対応したジャンルの音楽データを取得するデジタルラジオチューナである。
また、本発明において具体的には、音楽データ供給手段は、着脱可能な記憶媒体及び／又は内蔵記憶媒体に記憶された音楽データを供給する。
【０００９】
また、本発明において好ましくは、報知音を発生する報知音発生手段をさらに備え、報知音発生手段は、バッテリ情報に基づいてバッテリ充電率が所定値まで低下したと判断した場合に、報知音を発生する。このように構成された本発明によれば、携帯オーディオ機器のバッテリ充電率低下が報知音発生手段からの報知音によって報知されるので、乗員は、携帯オーディオ機器から他の音楽データ供給手段に音源が切換わることを事前に認識することができる。
【発明の効果】
【００１０】
本発明の車両用オーディオ装置によれば、携帯オーディオ機器から受け取った音楽データを再生中、携帯オーディオ機器のバッテリ充電率が低下しても、違和感なく継続して音楽データを出力することができる。
【発明を実施するための最良の形態】
【００１１】
以下、添付図面を参照して本発明の実施形態について説明する。図１は車両用オーディオ装置のブロック図、図２は楽曲情報の説明図、図３は携帯オーディオ機器のブロック図、図４は音源切換え処理フローである。
【００１２】
本実施形態の車両用オーディオ装置１は、制御部１０と、デジタルラジオチューナ１１と、記憶部１２と、外部データ読取部１３と、接続部１４と、入力部１５と、表示部１６とを備えている。
本実施形態の車両用オーディオ装置１は、デジタルラジオチューナ１１から取込まれた音楽データ，記憶部１２に記憶された音楽データ，外部データ読取部１３から取込まれた音楽データ，及び，携帯オーディオ機器３０から取込まれた音楽データを、車載スピーカ２０から再生出力するように構成されている。
【００１３】
制御部１０は、マイクロプロセッサ及びその周辺回路からなり、後述するように音楽データの再生処理を制御する。制御部１０は、音楽データ再生制御手段に相当する。
デジタルラジオチューナ１１は、車載アンテナ１１ａを介してデジタルラジオ放送を選局・受信し、音声信号（デジタルラジオ信号）を出力する。本実施形態では、放送衛星４０によるデジタルラジオ放送を受信するように構成されている。本実施形態のデジタルラジオ放送は、複数の音楽チャンネルを有し、各音楽チャンネルは、各々に設定された音楽ジャンルに特化した音楽データのみを供給するようになっている。なお、本実施形態では、デジタルラジオ放送として衛星ラジオ放送を受信するように構成されているが、これに限らず、地上波デジタルラジオ放送を受信するように構成してもよい。
【００１４】
記憶部１２は、制御部１０が実行する各種の制御プログラム等を記憶するＲＯＭと、制御部１０の作業領域であるＲＡＭと、音楽データ１２ａや楽曲情報１２ｂを記憶する内蔵記憶媒体であるハードディスク等から構成されている。本実施形態の音楽データ１２ａは、音楽情報をＭＰ３等の音声ファイルフォーマットでデジタル化したデータである。楽曲情報１２ｂは、記憶部１２に記憶されたすべての音楽データ１２ａの属性情報であり、音楽データ１２ａに対応付けられている。具体的には、図２に示すように、楽曲情報１２ｂは、各音楽データの楽曲タイトル情報，アーティスト情報，ジャンル情報，データサイズ情報等である。ジャンル情報により各音楽データのジャンル（例えば、ロック，ジャズ，ポップス等）が特定される。
【００１５】
外部データ読取部１３は、着脱可能な記憶媒体からデータを読み取る読取装置である。本実施形態の記憶媒体は、例えばＭＰ３形式等の音楽データ及びその楽曲情報が記憶されたＣＤ，ＤＶＤ，メモリカードである。この楽曲情報は、図２に示した楽曲情報と同様のものである。
【００１６】
接続部１４は、例えばBlue tooth（ブルートゥース：登録商標）規格等の無線通信方式により、同様の接続部３４を内蔵する携帯オーディオ機器３０とデータ送受信可能に無線接続するインターフェースである（図３参照）。なお、接続部１４，３４は、車両用オーディオ装置１と携帯オーディオ機器３０とを有線通信方式により有線接続するものであってもよい。接続部１４は、本発明の接続手段に相当する。
【００１７】
入力部１５は、操作スイッチ，リモコン，タッチパネル等によって構成された入力装置である。乗員は、入力部１５により、音源の選択，音楽データの再生・停止等の操作を行うことができる。
本実施形態では、音源にはラジオチューナ１１，記憶部１２，外部データ読取部１３，接続部１４を介した携帯オーディオ機器３０がある。これらのうち、特にラジオチューナ１１，記憶部１２，外部データ読取部１３が本発明の音楽データ供給手段に相当する。そして、乗員は、入力部１５により、各音源に対応するいずれかの再生モードを選択可能である。乗員は、ラジオチューナ１１を音源として選択した場合には、音楽チャンネルを含むラジオ放送チャンネルを入力部１５でさらに選択することができる。また、乗員は、記憶部１２，外部データ読取部１３，携帯オーディオ機器３０のいずれかを音源として選択した場合には、これらが供給可能な音楽データのうち所望の音楽データをさらに選択することができる。
【００１８】
表示部１６は、液晶表示方式等による表示装置であり、入力部１５での操作時や再生中に、再生モードや音楽データの楽曲情報を表示する。
【００１９】
携帯オーディオ機器３０は、デジタル形式の音楽データを再生可能な携帯機器であり、本実施形態では携帯オーディオプレーヤである。なお、携帯オーディオ機器３０は、音楽データを再生可能な携帯電話等であってもよい。図３に示すように、携帯オーディオ機器３０は、マイクロプロセッサ等からなり再生処理，接続部３４を介した通信回線接続処理，データ送受信処理等の機器制御を行う制御部３１と、制御プログラム，音楽データ３２ａ，図２と同様な楽曲情報３２ｂ等を記憶した記憶部３２と、音楽データの再生信号をイヤホン等に出力する出力部３３と、車両用オーディオ装置１の接続部１４と無線通信を行う接続部３４と、機器操作用の入力部３５と、各種の表示を行う表示部３６と、これらに電力を供給するバッテリ３７を備えている。
【００２０】
携帯オーディオ機器３０は、それ自体単独で音楽データ３２ａを再生し出力部３３から出力することが可能である。また、上述のように、携帯オーディオ機器３０は、接続部１４と所定の無線通信規格で接続可能な接続部３４を有しており、接続部１４，３４を介したデータ送受信により、内部に記憶した音楽データ３２ａ及び楽曲情報３２ｂを車両用オーディオ装置１に送信することができる。
【００２１】
本実施形態では、携帯オーディオ機器３０を車内に持ち込むと、車両用オーディオ装置１の接続部１４と携帯オーディオ機器３０の接続部３４とが自動的に通信回線を設定するように構成されている。
通信回線が設定されると、車両用オーディオ装置１で音源として携帯オーディオ機器３０を選択することが可能となる。音源として携帯オーディオ機器３０が選択されると、車両用オーディオ装置１の制御部１０は、携帯オーディオ機器３０に送信要求信号を出力する。これにより、携帯オーディオ機器３０の制御部３１は、記憶部３２が有する楽曲情報３２ｂを車両用オーディオ装置１に向けて送信する。
【００２２】
さらに、車両用オーディオ装置１で音楽データ３２ａが選択されると、音楽データ取得手段としての制御部１０は、携帯オーディオ機器３０に対して、特定の音楽データ３２ａを接続部１４に向けて送信するように指令するための送信要求信号を出力する。この送信要求信号により、制御部３１は、音楽データ３２ａを車両用オーディオ装置１に向けて送信する。そして、楽曲情報取得手段としての制御部１０は、受信した音楽データ３２ａの楽曲情報３２ｂを特定する。
また、制御部３１は、バッテリ３７の充電率をモニタしており、バッテリ情報取得手段としての制御部１０からの送信要求に応じて、バッテリ３７の充電率を表すバッテリ情報を送信する。
【００２３】
次に本実施形態の車両用オーディオ装置１の作用について説明する。
上述のように、乗員は、入力部１５により、ラジオチューナ１１，記憶部１２，外部データ読取部１３，携帯オーディオ機器３０を音源とするいずれかの再生モードに選択し、さらに音楽チャンネル又は音楽データを選択することができる。これにより、音楽データ取得手段としての制御部１０は、選択された音源から音楽データを取得する。
そして、乗員が選択した音楽データについて再生操作すると、音楽データ再生制御手段としての制御部１０は音楽チャンネル，記憶部１２，外部データ読取部１３，携帯オーディオ機器３０から取込んだ音楽データを車載スピーカ２０から再生出力する。また、制御部１０は、所定の音楽データ群が選択されている場合には、その音楽データ群を構成する音楽データを順次に連続再生処理する。さらに、制御部１０は、音楽データを取込みながら、同時にその音楽データを再生することもできる。
【００２４】
記憶部１２は、デジタルラジオ放送の各音楽チャンネルのジャンル情報を記憶したデータを有しており、制御部１０は、音楽チャンネルが選択されると、このデータに基づいてジャンル情報を特定する。また、制御部１０は、記憶部１２，外部データ読取部１３，携帯オーディオ機器３０が音源に選択された場合は楽曲情報を取得し、これに基づいて選択された音楽データのジャンル情報を特定する。制御部１０は、本発明の楽曲情報取得手段に相当する。
【００２５】
次に、図４に基づいて、車両用オーディオ装置１の音源切換え処理について説明する。図４に示す処理は、所定時間毎に繰り返し行われる。
まず、制御部１０は、携帯オーディオ機器３０から取込んだ音楽データ３２ａを再生処理しているか否かを判定する（ステップＳ１）。制御部１０は、携帯オーディオ機器３０からの音楽データを再生するモードが選択されており、音楽データの再生処理を行っていれば、携帯オーディオ機器３０から取込んだ音楽データ３２ａを再生処理していると判定する。
【００２６】
携帯オーディオ機器３０から取込んだ音楽データ３２ａを再生中でない場合（ステップＳ１；Ｎｏ）、制御部１０はそのまま処理を終了する。一方、携帯オーディオ機器３０から取込んだ音楽データ３２ａを再生中の場合（ステップＳ１；Ｙｅｓ）、制御部１０は、予め取得した楽曲情報３２ｂに基づいて、再生中の音楽データ３２ａのジャンル情報を特定する。
【００２７】
次いで、制御部１０は、バッテリ３７の充電率を表すバッテリ情報を送信させるための送信要求信号を、接続部１４，３４を介して携帯オーディオ機器３０に出力し、携帯オーディオ機器３０からバッテリ情報を取得する（ステップＳ３）。
そして、制御部１０は、取得したバッテリ情報から、携帯オーディオ機器３０のバッテリ３７の充電率が所定値以下であるか否かを判定する（ステップＳ４）。
【００２８】
バッテリ充電率が所定値以下でない場合（ステップＳ４；Ｎｏ）、制御部１０はそのまま処理を終了する。一方、バッテリ充電率が所定値以下の場合（ステップＳ４；Ｙｅｓ）、報知音発生手段としての制御部１０は、乗員に向けて車載スピーカ２０から報知音を出力する処理を行う（ステップＳ５）。これにより、携帯オーディオ機器３０のバッテリ充電率が低くなっていることを乗員に報知する。
【００２９】
次いで、制御部１０は、現在再生中の音楽データ３２ａのジャンル情報と同一ジャンル情報を有する音楽データを他の音源から検索し、携帯オーディオ機器３０の音楽データから、他の音源で検出された同一ジャンルの音楽データに切換えて再生処理を行い、処理を終了する（ステップＳ６）。この場合、制御部１０は、携帯オーディオ機器３０から、すでに音楽データを楽曲単位で取得していれば、その楽曲が終了するまで再生を続け、この楽曲の再生が終了した時点で、他の音源の音楽データに切換えてもよい。
この検索処理では、楽曲情報取得手段としての制御部１０は、まずデジタルラジオ放送に同一ジャンルの音楽チャンネルがあるか否かを判定し、同一ジャンルの音楽チャンネルがある場合には、検出された音楽チャンネルをラジオチューナ１１で選局し、音楽放送を再生する。
【００３０】
一方、同一ジャンルの音楽チャンネルがない場合には、制御部１０は、記憶部１２の楽曲情報１２ｂを検索し、同一ジャンル情報の音楽データ１２ａが記憶されているか否かを判定する。記憶部１２の音楽データ１２ａに同一ジャンルの音楽データがある場合は、制御部１０は、検出された音楽データを再生する。一方、記憶部１２の音楽データ１２ａに同一ジャンルの音楽データがない場合は、制御部１０は、外部データ読取部１３が読み取り可能な記憶媒体の楽曲情報を検索し、記憶媒体が記憶する音楽データに同一ジャンル情報を有する音楽データがあるか否かを判定する。同一ジャンルの音楽データがある場合は、制御部１０は、その音楽データを再生し、同一ジャンルの音楽データがない場合は、制御部１０は、ラジオチューナ１１により、所定の音楽チャンネルを選局し、音楽放送を再生する。
【００３１】
以上のように、本実施形態の車両用オーディオ装置１では、携帯オーディオ機器３０から取込んだ音楽データ３２ａを再生中、携帯オーディオ機器３０のバッテリ３７の充電率が所定値よりも低くなった場合には、携帯オーディオ機器３０以外の音源の音楽データに切換えて再生を行うように構成されている。
【００３２】
これにより、本実施形態では、バッテリ３７の充電率低下により携帯オーディオ機器３０が不作動になる前に、音源を携帯オーディオ機器３０から他の音源に切換えることができる。これにより、本実施形態では、携帯オーディオ機器３０がバッテリレベル低下で音楽データ３２ａを車両用オーディオ装置１に出力できなくなることにより、突然、車載スピーカ２０からの再生出力が無音状態となってしまうことを防止することができる。
【００３３】
また、本実施形態の車両用オーディオ装置１では、バッテリレベル低下により音源が切換わる場合に、切換え前に再生中の音楽データ３２ａと同じジャンルの音楽データが引き続き再生されるように構成されている。これにより、切換え処理により、乗員に違和感を与えてしまうことを防止することができる。
また、本実施形態の車両用オーディオ装置１では、切換え処理の前に、車載スピーカ２０から報知音が出力されるように構成されている。これにより、乗員は音源が携帯オーディオ機器３０から他の音源に切換わることを認識することができる。
【図面の簡単な説明】
【００３４】
【図１】本発明の実施形態における車両用オーディオ装置のブロック図である。
【図２】本発明の実施形態における楽曲情報の説明図である。
【図３】本発明の実施形態における携帯オーディオ機器のブロック図である。
【図４】本発明の実施形態における音源切換え処理フローである。
【符号の説明】
【００３５】
１    車両用オーディオ装置
１０    制御部
１１    デジタルラジオチューナ
１１ａ  車載アンテナ
１２    記憶部
１２ａ  音楽データ
１２ｂ  楽曲情報
１３    外部データ読取部
１４    接続部
１５    入力部
２０    車載スピーカ
３０    携帯オーディオ機器
３１    制御部
３２    記憶部
３２ａ  音楽データ
３２ｂ  楽曲情報
３４    接続部
３７    バッテリ
４０    放送衛星
【図１】
2009152828.tif 000003
【図２】
2009152828.tif 000004
【図３】
2009152828.tif 000005
【図４】
2009152828.tif 000006